(57)【要約】【課題】堆砂の進行によるダムの機能低下を効率的に回復するとともに、下流や河口付近の海岸の浸食を防ぎ、河川の水質を保全する環境に配慮したダム浚渫プラント及びダムの浚渫方法を提供する。【解決手段】ダム湖底７の土砂を浚渫する浚渫装置１と、この浚渫装置により浚渫された土砂から粒径の大きい土砂を分離するとともに、任意の粒径の細粒分を分離する分級プラント４０とを備えるダム浚渫プラントである。ダム湖底７の土砂から粒径の大きい土砂を分離して建設資材等に使用することができるとともに、任意の粒径の細粒分を分離して河川供給材として河川内に置土することで、ダム下流の侵食された河床や河口付近の海岸を回復させることができる。またダム湖水から除去した浮遊性物質を不溶化、固化するとともに減容化した後に、ダム湖底７へ埋め戻すことで、処分場が不要となる。【選択図】  図１
2005042392.tif 000002
【特許請求の範囲】
【請求項１】
ダム湖底の土砂を浚渫する浚渫装置と、この浚渫装置により浚渫された土砂から粒径の大きい土砂を分離するとともに、任意の粒径の細粒分を分離する分級プラントとを備えることを特徴とするダム浚渫プラント。
【請求項２】
前記分級プラントはダム湖底から土砂とともに汲み上げられたダム湖水の一部をダム下流へ放水する放水経路を備えるとともに、ダム湖底から土砂とともに汲み上げられたダム湖水を浄化する浄水プラントを備えることを特徴とするダム浚渫プラント。
【請求項３】
前記浄水プラントは、ダム湖水から除去した浮遊性物質に不溶化剤及び固化剤を混合する混合槽を備えることを特徴とする請求項２に記載のダム浚渫プラント。
【請求項４】
前記浚渫装置はグラブバケットと、グラブバケット内に吸引口を有するサンドポンプと、前記サンドポンプに一端が接続され、他端が水上に設けられる送泥ホースとを備えることを特徴とする請求項１〜３のいずれか一項に記載のダム浚渫プラント。
【請求項５】
ダム湖底の土砂を浚渫し、浚渫された土砂から粒径の大きい土砂を分離するとともに、任意の粒径の細粒分を分級して河川に供給することを特徴とするダムの浚渫方法。
【請求項６】
ダム湖底の土砂とともに汲み上げられたダム湖水の任意の分量をダム下流に放流するとともに、残りのダム湖水を浄化することを特徴とする請求項５に記載のダムの浚渫方法。
【請求項７】
ダム湖底の土砂とともに汲み上げられたダム湖水から浮遊性物質を除去し、この浮遊性物質に不溶化剤及び固化剤を混合して不溶化、固化するとともに減容化した後に、ダム湖底へ埋め戻すことを特徴とする請求項５または６に記載のダムの浚渫方法。
【請求項８】
グラブバケットでダム湖底の土砂を掘削し、次いでグラブバケットを閉じた状態でグラブバケット内に水を噴出して土砂を攪拌し、攪拌した土砂をグラブバケット内部のサンドポンプで水上に搬送することを繰り返すことでダム湖底の土砂を浚渫することを特徴とする請求項５〜７のいずれか一項に記載のダムの浚渫方法。
【発明の詳細な説明】
【技術分野】
【０００１】
本発明は、ダム浚渫プラント及びダムの浚渫方法に関する。
【背景技術】
【０００２】
ダムを長期にわたって健全な姿で持続的に管理していくことは、水資源の安定供給、洪水調節等の点から重要であるが、そのためにはダムに流入する土砂が堆積した堆砂を除去する必要がある。ダムにおける堆砂の進行は、ダムの貯水要領を長期的に減少させ、ダムの治水、利水機能を低下させる。
【０００３】
また、堆砂の進行によりダム上流では河床が上昇する一方で、ダム下流では河床が低下したり、河口付近では海岸が浸食されたりする等の問題が発生している。また、最近では、下流への土砂供給の減少による栄養分の枯渇やそれに伴う魚類等の生息環境の変化等、環境的側面に対する影響も指摘されている。
【０００４】
ダムの堆砂を除去する方法としては、ダム湖内を水抜きして直接掘削する方法や、浚渫する方法がある。また、ダムに土砂排出口を設けて下流に放出する方法や、既存ダムの上流に貯砂ダムを設けるとともに、貯砂ダムから既存ダム下流へ通じる放流トンネルを設けて下流に放出する方法も実施されている。
【０００５】
ダムの堆砂を浚渫する方法としては、ポンプ船やグラブ船、バケット船、ディッパ船等を用いて行う一般浚渫や、一般浚渫では施工困難な固い地盤を砕岩船あるいは火薬を用いて破砕した後に一般浚渫を行う方法等がある（例えば、非特許文献１参照）。
【０００６】
一般の河川工事の場合には、ポンプ船がよく用いられている。ポンプ船による浚渫は、水底の土砂を吸引し、排砂管を通じてストックヤードや埋立地に排土するもので、ポンプ自体はヘドロや砂質土等の比較的やわらかい土砂が対象であり、Ｎ値で１０以上の土砂を浚渫する場合は、別途カッター装置を併用して行うことが多い。ポンプ浚渫は、連続的な浚渫ができ作業能率が高い等の利点を有している。
【０００７】
また、グラブ船はグラブバケットで土砂を掘削するグラブ船であって、大水深の浚渫が可能であり、軟泥から硬土盤までの土質に対応できる。例えば図５に示すように、グラブ船１により浚渫された土砂は、処理プラント船２で砂礫、粘土、沈木、雑多ゴミ等に分別した後に、土運船３により岸まで運搬され、岸からトラック４等で処分場へ運搬される。グラブ船１を用いた浚渫方法は、土砂を土運船３により運搬するので、排土する距離が非常に長く、ポンプ船が適用できない場合などに用いることができる。
【０００８】
浚渫した土砂の処理方法としては、分級して比較的粒子の大きい土砂は建設資材等に利用し、その他の微粒子は脱水して産業廃棄物として処理していた。また、土砂をサイクロン等で分級し、粒径の大きい土砂や微粒子をダムに戻すとともに、有機物を分解して処理することも提案されている（例えば、特許文献１参照）。
【特許文献１】特開平１０−１１８６９７号公報
【非特許文献１】土木学会編，「土木工学ハンドブックII」，第四版，技報堂出版，１９８９年１１月１８日，ｐ．１６２６−１６２７、１８２２
【発明の開示】
【発明が解決しようとする課題】
【０００９】
しかし、ダム湖内を直接掘削または浚渫する場合には、建設資材等に使用できない微粒子を産業廃棄物として処理するため、処分場が必要となるが、その捨土先がなかなか見つからず、また運搬経費がかかるという問題があった。
【００１０】
ダムに土砂排出口を設けたり、貯砂ダムや放流トンネルを設けたりする方法は建設コストが大きいという問題があった。また土砂を下流に放出すると、下流で濁水が発生したり、土砂が堆積したりする等、河川環境への悪影響が出るという問題があった。一方で、浚渫土砂を処理するのみで下流へ全く放出しない場合には、河床低下や海岸浸食、栄養分の枯渇等の問題が解決できなかった。
【００１１】
本発明の課題は、堆砂の進行によるダムの機能低下を効率的に回復するとともに、下流や河口付近の海岸の浸食を防ぎ、河川の水質を保全する環境に配慮したダム浚渫プラント及びダムの浚渫方法を提供することである。
【課題を解決するための手段】
【００１２】
以上の課題を解決するため、請求項１に記載の発明は、ダム浚渫プラントであって、例えば図１〜３に示すように、ダム湖底７の土砂を浚渫する浚渫装置（グラブ船１）と、この浚渫装置により浚渫された土砂から粒径の大きい土砂を分離するとともに、任意の粒径の細粒分を分離する分級プラント４０とを備えることを特徴とする。
【００１３】
ここで、任意の粒径の細粒分としては、河川の状況に応じ、下流での過剰な堆積や水質汚濁が生じない粒径のものが選ばれる。請求項１に記載の発明によれば、ダム湖底７の土砂から粒径の大きい土砂を分離して建設資材等に使用することができるとともに、任意の粒径の細粒分を分離して河川供給材として河川内に置土することで、ダム下流の侵食された河床や河口付近の海岸を回復させることができる。
【００１４】
請求項２に記載の発明は、請求項１に記載のダム浚渫プラントであって、図２に示すように、前記分級プラント４０はダム湖底７から土砂とともに汲み上げられたダム湖水の一部をダム下流へ放水する放水経路（図２のＢから図１のＢへ通じる経路）を備えるとともに、ダム湖底７から土砂とともに汲み上げられたダム湖水を浄化する浄水プラント６０を備えることを特徴とする。
【００１５】
請求項２に記載の発明によれば、ダム湖底７の土砂とともに汲み上げられたダム湖水の一部を放水経路からダム下流へ放水することで、ダム湖水に含まれる窒素やリン等の栄養分を河川に適量供給することができ、河川の栄養枯渇を防ぐことができる。また、残りのダム湖水を浄水プラント６０で浄化することで、必要以上の栄養分がダム下流に流れて河川の富栄養化が生じることを防ぎ、下流の生態系を保護することができる。
【００１６】
請求項３に記載の発明は、請求項２に記載のダム浚渫プラントであって、図３に示すように、前記浄水プラント６０は、ダム湖水から除去した浮遊性物質に不溶化剤及び固化剤を混合する混合槽６４を備えることを特徴とする。
【００１７】
ここで、浮遊性物質とは、濁水の原因となるシルトや粘土等の微細粒子である。請求項３に記載の発明によれば、ダム湖水から除去した浮遊性物質に不溶化剤及び固化剤を混合することで、浮遊性物質を不溶化、固化するとともに減容化することができるので、浮遊性物質に含まれる窒素やリン等の栄養分が溶け出さないようにし、浮遊性物質をダム湖底７に埋め戻すことができる。
【００１８】
請求項４に記載の発明は、請求項１〜３のいずれか一項に記載のダム浚渫プラントであって、例えば図４に示すように、前記浚渫装置はグラブバケット１０と、グラブバケット１０内に吸引口を有するサンドポンプ２３と、前記サンドポンプ２３に一端が接続され、他端が水上に設けられる送泥ホース２２とを備えることを特徴とする。
【００１９】
請求項４に記載の発明によれば、グラブバケット１０内の土砂をサンドポンプ２３で吸引して送泥ホース２２で水上に排土するので、グラブバケット１０を水上まで上げることなく連続して掘削することができるとともに、グラブバケットを上下動させる際にダム湖水を攪拌して水質汚濁を生じさせることがない。また掘削をグラブバケット１０で行うので、N値の大きい、硬くしまった土質の土砂でも掘削し、浚渫することができる。またダム湖底７の土砂に含まれる沈木や流木等のゴミ等の障害物をグラブバケットで引き上げて除去することができる。
【００２０】
請求項５に記載の発明は、ダムの浚渫方法であって、ダム湖底７の土砂を浚渫し、浚渫された土砂から粒径の大きい土砂を分離するとともに、任意の粒径の細粒分を分級して河川に供給することを特徴とする。
【００２１】
請求項５に記載の発明によれば、ダム湖底７の土砂から粒径の大きい土砂を分離して建設資材等に使用することができるとともに、任意の粒径の細粒分を分離して河川供給材として河川内に置土することで、ダム下流の侵食された河床や河口付近の海岸を回復させることができる。
【００２２】
請求項６に記載の発明は、請求項５に記載のダムの浚渫方法であって、ダム湖底７の土砂とともに汲み上げられたダム湖水の任意の分量をダム下流に放流するとともに、残りのダム湖水を浄化することを特徴とする。
【００２３】
請求項６に記載の発明によれば、ダム湖底７の土砂とともに汲み上げられたダム湖水の任意の分量をダム下流に放流することで、ダム湖水に含まれる窒素やリン等の栄養分を河川に適量供給して河川の栄養枯渇を防ぐことができる。また、残りのダム湖水を浄化することで、必要以上の栄養分がダム下流に流れて河川の富栄養化が生じることを防ぎ、下流の生態系を保護することができる。
【００２４】
請求項７に記載の発明は、請求項５または６に記載のダムの浚渫方法であって、ダム湖底７の土砂とともに汲み上げられたダム湖水から浮遊性物質を除去し、この浮遊性物質に不溶化剤及び固化剤を混合して不溶化、固化するとともに減容化した後に、ダム湖底７へ埋め戻すことを特徴とする。
【００２５】
請求項７に記載の発明によれば、ダム湖水から除去した浮遊性物質に不溶化剤及び固化剤を混合して不溶化、固化するとともに減容化した後に、ダム湖底７へ埋め戻すことで、処分場が不要となり、運搬経費を削減することができる。
【００２６】
請求項８に記載の発明は、請求項５〜７のいずれか一項に記載のダムの浚渫方法であって、グラブバケット１０でダム湖底７の土砂を掘削し、次いでグラブバケット１０を閉じた状態でグラブバケット１０内に水を噴出して土砂を攪拌し、攪拌した土砂をグラブバケット１０内部のサンドポンプ２３で水上に搬送することを繰り返すことでダム湖底７の土砂を浚渫することを特徴とする。
【００２７】
請求項８に記載の発明によればグラブバケット１０内に水を噴出して土砂を攪拌するので、グラブバケット１０内に泥水の流れを形成し、サンドポンプ２３の吸引口が閉塞されるのを防止し、グラブバケット１０内の排土をより効率よく行うことができる。またグラブバケット１０を閉じた状態でグラブバケット１０内に水を噴出して土砂を攪拌することで、泥水をサンドポンプ２３での排出に最適な濃度にし、安定した排土を行うことができる。またサンドポンプ２３で吸引して送泥ホース２２で水上に排土するので、グラブバケット１０を水上まで上げることなく連続して掘削することができ、大水深の場合、１掘削当たりのサイクルタイムを短縮することができる。また掘削をグラブバケット１０で行うので、N値の大きい、硬くしまった土質の土砂でも掘削し、浚渫することができる。
【発明の効果】
【００２８】
本発明によれば、ダム湖底の土砂を浚渫して分級し、石や礫、砂等は建設資材等に利用し、また任意の粒径の細粒分を河川供給剤として放流するため、浚渫土砂を有効に利用することができるとともに、下流や河口付近の海岸の侵食を防ぐことができる。またダム湖水に含まれる窒素やリン等の栄養分を河川に適量供給するとともに、過剰な供給をしないことにより、河川の栄養枯渇、富栄養化を防ぐことができる。
【００２９】
また、浮遊性物質を不溶化、固化するとともに減容化してダム湖に埋め戻すので、処分場が不要となり、運搬経費を削減することができる。
【発明を実施するための最良の形態】
【００３０】
以下、図を参照して本発明の実施の形態を詳細に説明する。本発明のダム浚渫プラントは、図１に示す浚渫装置と、図２に示す分級プラント４０と、図３に示す浄水プラント６０とから構成される。ここで図１〜３は、本発明のダム浚渫プラントによる一連の処理を示す一つのフロー図を分割したものであり、図１のＡから図２のＡへ、図２のＢから図１のＢへ、図２のＣから図３のＣへ、図２のＤから図３のＤへ、図３のＥから図１のＥへ、図３のＦから図１のＦへ、それぞれ連続している。
【００３１】
なお、分級プラント４０及び浄水プラント６０は、組み立て式のため、装置の移動が比較的容易であり、各ダムへ資材を運搬して現場で組み立てることができる。
【００３２】
浚渫装置としては、例えば図１に示すように、ダム堤体５によって堰き止められたダム湖６上に浮かぶグラブ船１を用いることができる。グラブ船１からは、グラブバケット１０が吊り下ろされる。グラブバケット１０としては、例えば以下に説明するような形態のものを使用することができる。
【００３３】
グラブバケット１０は、図４に示すように、基部１１と１対のバケット１２、１２とからなる。
【００３４】
基部１１には、各バケット１２、１２がそれぞれ取り付けられる１対の平行な軸１４、１４と、各バケット１２、１２を各軸１４、１４に対して同時に反対方向に回動させる図示しない回動機構が設けられている。また基部１１の上端には、吊り下げ部材１５が設けられている。吊り下げ部材１５は、グラブ船１に設けられたクレーンからグラブバケット１０を水中に吊り下げている。
【００３５】
バケット１２、１２は、図ではその刃先１３、１３が互いに嵌み合って閉じているが、各軸１４、１４に対して同時に反対方向に回動して開閉する。
【００３６】
バケット１２、１２には、それぞれ攪拌水ホース２１、送泥ホース２２、サンドポンプ２３が設けられている。
【００３７】
攪拌水ホース２１は、水上のグラブ船１まで伸びており、グラブ船１に設けられた図示しない送水ポンプから水が供給され、その先端部に設けられた噴出口から水を噴出する。噴出口は、バケット１２の刃先１３付近に設けられている。
【００３８】
送泥ホース２２は一端がサンドポンプ２３に取り付けられており、他端が水上のグラブ船１まで伸び、グラブ船１からさらに分級プラントの受け槽まで伸びている。
【００３９】
サンドポンプ２３は、バケット１２内に設けられた吸引口から土砂を吸引し、送泥ホース２２を介して水上のグラブ船１へ送る。なお吸引口には金網が設置されており、サンドポンプ２３が障害物を吸引することによるトラブルを回避することができる。
【００４０】
グラブ船１には、グラブバケット１０を動かすクレーンや、攪拌水ホース２１に送水する送水ポンプが設けられている。また、攪拌水ホース２１や送泥ホース２２を巻き取る巻き取り装置や、土砂の処理設備が設けられている。
【００４１】
このグラブバケット１０を用いた浚渫方法について説明する。まず、バケット１２、１２が開いた状態のグラブバケット１０をダム湖底７まで下降させる。
【００４２】
次にバケット１２、１２を回動させ、刃先１３、１３でダム湖底７を掘削する。さらにバケット１２、１２をその刃先１３、１３が嵌み合うまで回動させて閉じる。
【００４３】
次に、攪拌水ホース２１から水を噴出し、閉じたバケット１２内部の土砂を攪拌するとともに、攪拌された土砂をサンドポンプ２３で吸引し、送泥ホース２２を介して水上のグラブ船１へ排土する。
【００４４】
送泥ホース２２から出る土砂が減ったら、送水ポンプ及びサンドポンプ２３を止め、バケット１２、１２を再び開く。次にグラブバケット１０をさらに下降させ、あるいは水平方向に移動させてダム湖底７を掘削し、以上の操作を繰り返す。
【００４５】
吸引口の金網の目よりも大きなゴミや大きな石等の障害物がバケット１２内に混入した場合には、まず土砂を吸引し、バケット１２内に障害物だけを残す。次いで送水ポンプ及びサンドポンプ２３を止め、バケット１２を閉じたままグラブバケット１０を水上に持ち上げ、障害物を取り除くグラブバケット１０を水上まで持ち上げる際に内部に土砂がないので、水質汚濁の恐れがない。
【００４６】
このような浚渫装置によれば、グラブバケット１０を水上まで持ち上げずに掘削した土砂を排土することができるため、グラブバケット１０の昇降に伴う水質の汚濁を減らすことができる。またグラブバケット１０を昇降しないで連続して掘削することができるので、大深度でも浚渫の作業効率が低下しない。また掘削をグラブバケット１０で行うので、N値の大きい、硬くしまった土質の土砂でも掘削し、浚渫することができる。
【００４７】
掘削された土砂はサンドポンプにより、送泥ホース２２を介して水とともに分級プラント４０へ搬送される。
【００４８】
分級プラント４０は、例えば図２に示すように、１次スクリーン４１、１次ストック４２、１次受槽４３、２次スクリーン４４、２次ストック４５、２次受槽４６、１次サイクロン５１、１次サイクロンオーバー水槽５２、２次サイクロン５３、２次サイクロンアンダー水槽５４、及び２次サイクロンオーバー水槽５５等から構成される。
【００４９】
送泥ホース２２を介して搬送された土砂は、まず１次スクリーン４１にかけられ、粒径の大きい石や礫を取り除き、１次ストック４２に搬出する。ここでは例えば４ｍｍの網目のスクリーンを用いて、粒径４ｍｍ以上の石や礫を分離する。
【００５０】
１次スクリーン４１を通過した、砂を含む泥水は、１次受槽４３に貯められ、ポンプで汲み出されて２次スクリーン４４にかけられる。２次スクリーン４４では、砂を取り除き、２次ストック４５に搬出する。ここでは例えば１ｍｍの網目のスクリーンを用いて、粒径１〜４ｍｍの砂を分離する。
【００５１】
２次スクリーン４４を通過した泥水は、２次受槽４６に貯められ、ポンプで汲み出されて１次サイクロン５１にかけられる。１次サイクロン５１では、微粒子を１次サイクロンオーバー水とともに１次サイクロンオーバー水槽５２へ排出するとともに、２次スクリーン４４を通過したがやや粒径の大きい砂を含む１次サイクロンアンダー水を再び２次スクリーン４４にかける。
【００５２】
１次サイクロンオーバー水槽５２へ貯められた１次サイクロンオーバー水は、ポンプで汲み出されて２次サイクロン５３にかけられる。
【００５３】
２次サイクロン５３では、１次サイクロンオーバー水の中に含まれる任意の大きさ以上の細粒分を２次サイクロンアンダー水とともに２次サイクロンアンダー水槽５４へ貯め、任意の大きさ以下の微細粒子をサイクロンオーバー水とともに２次サイクロンオーバー水槽５５へ貯める。例えば粒径０．１ｍｍ〜１．０ｍｍの細粒分を２次サイクロンアンダー水槽５４へ貯め、粒径０．１ｍｍ以下の微細粒子を２次サイクロンオーバー水槽５５へ貯めることができる。
【００５４】
２次サイクロンアンダー水槽５４へ貯められる任意の粒径の細粒分は、下流の侵食された河床や河口付近の海岸を回復させる河川供給材として、ポンプで汲み出され、ダムの下流へ放流される。その粒径は２次スクリーン４４や１次サイクロン５１、２次サイクロン５３によって変更可能であるが、河川の状況によって適宜変更され、下流での過剰な堆積や水質汚濁が生じない粒径に設定される。
【００５５】
２次サイクロンオーバー水槽５５に貯められた２次サイクロンオーバー水は、任意の量が放水経路（図２のＢから図１のＢへ）を通じてポンプで汲み出されてダム下流に放流されるとともに、残りが浄水経路（図２のＣから図３のＣへ）を通じて浄水プラント６０へ送り出される。２次サイクロンオーバー水の中には、窒素やリン等の栄養分が含まれており、下流へ適量放流することで河川の栄養枯渇を防ぐことができるが、多量に放流しすぎると下流で濁水が発生し、また河川の富栄養化が生じて生態系に悪影響を及ぼすため、河川の状況に応じて適宜流量を調整する。残りの２次サイクロンオーバー水は浄水プラント６０で処理される。
【００５６】
浄水プラント６０は、図３に示すように、凝集槽６１、貯泥槽６２、脱水装置６３、混合槽６４、濾水槽７１、凝集反応槽７２、沈殿分離槽７３、ばっ気槽７４、濾過原水槽７５、濾過塔７６、活性炭吸着塔７７、放流槽７８、及び凝集剤や不溶化剤、固化剤等の薬剤タンク８１、８２、８３、８４等から構成されている。
【００５７】
分級プラント４０から汲み出された２次サイクロンオーバー水には、薬剤タンク８１から凝集剤が投入されて、凝集槽６１で攪拌、混合される。凝集剤としては、例えばポリ塩化アルミニウム（ＰＡＣ）等の無機凝集剤を用いることができる。凝集剤が混合された２次サイクロンオーバー水は、貯泥槽６２に貯められ、浮遊性物質となるシルトや粘土等の微細粒子が沈殿させられる。
【００５８】
貯泥槽６２の沈殿及び上清は、脱水装置６３にかけられ、脱水ケーキと、濾水とに分離される。脱水ケーキは混合槽６４に投入され、薬剤タンク８２から硫酸アルミニウム等の不溶化剤や、セメント系等の固化剤が混合される。不溶化剤は脱水ケーキ中の窒素、リンが水に溶け出さないようにする。固化剤は脱水ケーキを粒状に造粒し、減容化するとともに、脱水ケーキ中の物質が水に溶け出さないようにする。
【００５９】
減容化された脱水ケーキは、ダム湖底７に埋め戻される。
【００６０】
濾水は、濾水槽７１に貯められ、ポンプで凝集反応槽７２へ汲み出される。凝集反応槽７２では薬剤タンク８３、８４からＰＡＣ等の無機凝集剤や、高分子凝集剤等の凝集剤が投入され、攪拌される。
【００６１】
凝集剤の投入された濾水は、沈殿分離層に貯められ、沈殿と上清とに分離される。沈殿はポンプで貯泥槽６２へ汲み出される。上清はばっ気槽７４へ貯められ、ブロアーにより空気が吹き込まれて好気性細菌により水中の有機物が分解される。
【００６２】
空気の吹き込まれた上清は、濾過原水槽７５へ貯められ、濾過塔７６、活性炭吸着塔７７で水中の不純物が取り除かれ、放流槽７８に貯められた後に、ダム湖６及びダム下流へ放流される。
【００６３】
上述したダム浚渫プラントによれば、浚渫土砂を分級し、石や礫、砂等は建設資材等に利用し、任意の粒径の細粒分を河川供給剤として放流するため、浚渫土砂を有効に利用することができるとともに、下流や河口付近の海岸の環境にも配慮することができる。また、残りのシルトや粘土等は不溶化・減容化・固化してダム湖底７に戻すため、処分場が不要となり、運搬経費を削減することができる。
【００６４】
なお、本発明のダム浚渫プラントでは、グラブバケット１０の内部にサンドポンプ２３を設けた浚渫装置を用いたが、本発明はこれに限られるものではなく、任意の浚渫装置を用いることができる。
【００６５】
また、分級プラント４０では２段階のフィルターを用いたが、さらにフィルターの数を増やしてもよい。またフィルターの目の大きさも任意に変更可能である。また２段階のサイクロンを用いて分級を行ったが、対象土質によってはさらにサイクロンの段階を増減してもよい。
【００６６】
また浄水プラント６０で用いる凝集剤、不溶化剤、固化剤等の薬品や、各種処理槽その他の具体的な細部構造等についても適宜に変更可能であることは勿論である。
【図面の簡単な説明】
【００６７】
【図１】本発明のダム浚渫プラントによる処理を示すフロー図の一部であり、ダム近傍の浚渫装置を示す模式図である。
【図２】同、分級プラントによる処理を示すフロー図である。
【図３】同、浄水プラントによる処理を示すフロー図である。
【図４】本発明のダム浚渫プラントで用いる浚渫装置の形態例を示す模式図である。
【図５】従来の浚渫方法を示す模式図である。
【符号の説明】
【００６８】
１    浚渫装置（グラブ船）
１０  グラブバケット
２２  送泥ホース
２３  サンドポンプ
４０  分級プラント
６０  浄水プラント
６４  混合槽
【図１】
2005042392.tif 000003
【図２】
2005042392.tif 000004
【図３】
2005042392.tif 000005
【図４】
2005042392.tif 000006
【図５】
2005042392.tif 000007